(57)【要約】【課題】視聴者が希望する番組を正確に録画できる予約番組記録装置を実現する。【解決手段】放送受信装置１０は、放送番組の信号より放送番組情報を取得する放送番組受信部１０１と、記録する放送番組の音声情報を取得し音声情報一時記録媒体１０２に一時的に保存する音声情報一時記憶部１０３と、音声キー記録媒体１０４に記録されている音声キー情報と一時保存された音声情報とを照合する音声照合部１０５と、音声照合結果を元に番組予約制御方法を決定する番組予約制御部１０６と、放送番組記録媒体１０７に予約番組の記録を行なう放送番組記録部１０８とから構成されている。【選択図】      図１
2006279611.tif 000002
【特許請求の範囲】
【請求項１】
放送または配信されている番組を予約開始時間、または、予約終了時間を含む予め設定された記録計画に基づいて予約番組として記録媒体に録画または録音する予約番組記録装置において、
前記放送または配信されている番組の番組データを取得する番組データ取得手段と、
前記放送または配信されている番組の音声データを取得する音声データ取得手段と、
前記放送または配信されている番組内容の確認に用いるキー音声データを記録媒体から読み出して取得するキー音声データ取得手段と、
前記キー音声データと前記音声データを照合し、その照合結果情報を取得するキー音声データ照合手段と、
取得された前記照合結果情報に基づいて前記記録計画を変更する番組予約変更手段と、
を具備する
ことを特徴とする予約番組記録装置。
【請求項２】
前記キー音声照合手段は、前記記録されたキー音声データと前記入力した番組の音声データとが一致した時に前記照合結果情報を取得する
ことを特徴とする請求項１記載の予約番組記録装置。
【請求項３】
前記キー音声照合手段は、前記記録計画に規定された時間内において前記記録されたキー音声データと前記入力した番組の音声データとが一致しない時に前記照合結果情報を出力する
ことを特徴とする請求項１記載の予約番組記録装置。
【請求項４】
前記番組予約変更手段は、前記照合結果に基づいて前記記録計画における予約開始時間、または、予約終了時間を変更する
ことを特徴とする予約番組記録装置。
【請求項５】
前記番組予約変更手段は、前記照合結果に基づいて前記予約番組の記録を中止する
ことを特徴とする請求項１記載の予約番組記録装置。
【請求項６】
前記番組予約変更手段は、前記照合結果に基づいて前記予約番組の記録を前記記録媒体から消去する
ことを特徴とする請求項１記載の予約番組記録装置。
【請求項７】
前記番組予約変更手段は、前記記録計画の変更を利用者に通知する
ことを特徴とする請求項１記載の予約番組記録装置。
【請求項８】
前記キー音声データは、前記予約番組の後に放送または配信される番組の音声データに関するものである
ことを特徴とする請求項１記載の予約番組記録装置。
【請求項９】
前記キー音声データは、前記予約番組の前に放送または配信される番組の音声データに関するものである
ことを特徴とする請求項１記載の予約番組記録装置。
【請求項１０】
前記キー音声データは、前記予約番組と同時刻に放送または配信される番組の音声データに関するものである
ことを特徴とする請求項１記載の予約番組記録装置。
【請求項１１】
放送または配信されている番組を予約開始時間、または、予約終了時間を含む予め設定された記録計画に基づいて予約番組として記録媒体に録画または録音する予約番組記録装置において、
前記放送または配信されている番組の番組データを取得する番組データ取得手段と、
前記放送または配信されている番組の音声データを取得する音声データ取得手段と、
前記放送または配信されている番組内容の確認に用いるキー音声データを記録媒体から読み出して取得するキー音声データ取得手段と、
前記キー音声データと前記番組の音声データを照合し、その照合結果情報を取得するキー音声データ照合手段と、
取得された前記照合結果情報に基づいて前記記録した予約番組上の視聴開始位置または、視聴終了位置を決定する視聴位置決定手段と、
を具備する
ことを特徴とする予約番組記録装置。
【請求項１２】
放送または配信されている番組を予約開始時間、または、予約終了時間を含む予め設定された記録計画に基づいて予約番組として記録媒体に録画または録音する予約番組記録方法において、
前記放送または配信されている番組の番組データを取得する番組データ取得ステップと、
前記放送または配信されている番組データの音声データを取得する音声データ取得ステップと、
前記予約番組の録画または録音のための検索キーとなるキー音声データを記録しているキー音声データ記録ステップと、
前記記録されたキー音声データと前記取得した番組の音声データとを照合し、その照合結果情報を取得するキー音声照合ステップと、
取得された前記照合結果情報に基づいて前記記録計画を変更する番組予約変更ステップと、
を具備する
ことを特徴とする予約番組記録方法。
【請求項１３】
放送または配信されている番組を予約開始時間、または、予約終了時間を含む予め設定された記録計画に基づいて予約番組として記録媒体に録画または録音する予約番組記録方法において、
前記放送または配信されている番組の番組データを取得する番組データ入力ステップと、
前記放送または配信されている番組データの音声データを取得する音声データ入力ステップと、
前記予約番組の録画または録音のための検索キーとなるキー音声データを記録しているキー音声データ記録ステップと、
前記記録されたキー音声データと前記取得した番組の音声データとを照合し、その照合結果情報を取得するキー音声照合ステップと、
取得された前記照合結果情報に基づいて前記記録した予約番組の視聴開始時間、または、視聴終了時間を決定する視聴時間決定ステップと、
を具備する
ことを特徴とする予約番組記録方法。
【請求項１４】
放送または配信されている番組を予約開始時間、または、予約終了時間を含む予め設定された記録計画に基づいて予約番組として記録媒体に録画または録音する予約番組記録方法をコンピュータによって実現するプログラムにおいて、
前記放送または配信されている番組の番組データを取得する番組データ入力機能と、
前記放送または配信されている番組データの音声データを取得する音声データ入力機能と、
前記予約番組の録画または録音のための検索キーとなるキー音声データを記録しているキー音声データ記録機能と、
前記記録されたキー音声データと前記取得した番組の音声データとを照合し、その照合結果情報を取得するキー音声照合機能と、
取得された前記照合結果情報に基づいて前記記録計画を変更する番組予約変更機能と、
を実現する
ことを特徴とする予約番組記録方法のプログラム。
【請求項１５】
放送または配信されている番組を予約開始時間、または、予約終了時間を含む予め設定された記録計画に基づいて予約番組として記録媒体に録画または録音する予約番組記録方法をコンピュータによって実現するプログラムにおいて、
前記放送または配信されている番組の番組データを取得する番組データ入力機能と、
前記放送または配信されている番組データの音声データを取得する音声データ入力機能と、
前記予約番組の録画または録音のための検索キーとなるキー音声データを記録しているキー音声データ記録機能と、
前記記録されたキー音声データと前記取得した番組の音声データとを照合し、その照合結果情報を取得するキー音声照合機能と、
取得された前記照合結果情報に基づいて前記記録した予約番組の視聴開始時間、または、視聴終了時間を決定する視聴時間決定機能と、
を実現する
ことを特徴とする予約番組記録方法のプログラム。
【発明の詳細な説明】
【技術分野】
【０００１】
本発明は、予約された番組を録画、または、録音する予約番組記録装置及びその方法に関する。
【背景技術】
【０００２】
視聴者は、新聞や雑誌等の番組表により放送内容、放送時刻を確認し、記録の必要性の有無を確認した上で記録の予約を行なうことが可能となっているが、番組表に反映されない番組内容の変更に応じて予約の変更を行うことは困難であった。
【０００３】
また、特許文献１のように番組が延長する可能性があるものに対して、予め延長を想定した予約の設定を行なう方法も提案されているが、必要以上に他の番組の記録計画に影響を及ぼし、また、不要なデータを記録媒体へと残してしまうという問題点があった。
【特許文献１】特開平１０−２１６０１号公報
【発明の開示】
【発明が解決しようとする課題】
【０００４】
そこで、本発明は、視聴者が希望する番組を正確に録画できる予約番組記録装置を実現することである。
【課題を解決するための手段】
【０００５】
本発明は、放送または配信されている番組を予約開始時間、または、予約終了時間を含む予め設定された記録計画に基づいて予約番組として記録媒体に録画または録音する予約番組記録装置において、前記放送または配信されている番組の番組データを取得する番組データ取得手段と、前記放送または配信されている番組の音声データを取得する音声データ取得手段と、前記放送または配信されている番組内容の確認に用いるキー音声データを記録媒体から読み出して取得するキー音声データ取得手段と、
前記キー音声データと前記音声データを照合し、その照合結果情報を取得するキー音声データ照合手段と、取得された前記照合結果情報に基づいて前記記録計画を変更する番組予約変更手段と、を具備することを特徴とする予約番組記録装置である。
【０００６】
また、取得された前記照合結果情報に基づいて前記記録した予約番組の視聴開始時間、または、視聴終了時間を決定する視聴時間決定手段を具備する。
【発明の効果】
【０００７】
本発明は、番組の内容を確認することにより、視聴者が必要な番組だけを録画または録音し記録することが可能となり、また、録画、または録音延長の可能性を判断して記録計画の変更できる。
【発明を実施するための最良の形態】
【０００８】
以下、本発明の各実施形態を示す図面に基づいて具体的に説明する。
【０００９】
（第１の実施形態）
本発明の予約番組記録装置を適用した第１の実施形態の放送受信装置１０について図１、図２と図５〜図１２に基づいて説明する。本実施形態は、例えば、テレビ放送を受信して録画するビデオレコーダやＨＤＤレコーダ等の製品として実施される。
【００１０】
（１）放送受信装置１０の構成
図１は、本実施形態の放送受信装置１０を示すブロック図である。
【００１１】
図１に示すように、放送受信装置１０は、放送番組の信号より放送番組情報を取得する放送番組受信部１０１と、記録する放送番組の音声情報を取得し音声情報一時記録媒体１０２に一時的に保存する音声情報一時記憶部１０３と、音声キー記録媒体１０４に記録されている音声キー情報と一時保存された音声情報とを照合する音声照合部１０５と、音声照合結果を元に番組予約制御方法を決定する番組予約制御部１０６と、放送番組記録媒体１０７に放送番組（以下、予約番組という）の記録を行なう放送番組記録部１０８とから構成されている。
【００１２】
放送番組受信部１０１にて取得する放送番組情報は、装置内にチューナーを設け、これにより選局された受信チャンネルの放送番組であっても、入力端子を介して外部から供給される放送番組であってもよい。
【００１３】
放送受信部１０１は、取得した放送番組信号より記録する放送番組情報を取得すると共に、放送番組音声データを分離して取得し、音声情報一時記憶部１０２に供給する。
【００１４】
音声情報一時記憶部１０３は、取得した放送番組音声データを音声情報一時記録媒体１０２に一時的に記録し、音声照合部１０５からの指示に基づき音声照合部１０５へと供給する。音声情報一時記録媒体１０２は、例えばＩＣメモリ等で構成される。
【００１５】
音声照合部１０５は、一定区間の放送番組音声情報を音声情報一時記憶部１０２より取得し、また、キー音声データをキー音声データ記録媒体１０４から取得し、照合を行なう。照合は、完全に同一のもののみを検出する方法や音声特徴量が類似している箇所の有無を検出する等、予め決められた所定の条件を元に行い、その照合結果を番組予約制御部１０６へと供給する。
【００１６】
番組予約制御部１０６では、音声照合結果を参照し、予約制御方法を決定し番組予約制御信号を放送記録部１０８へと供給する。例えば、同時刻に登場する場面の音声データに対する音声照合の結果を元に、放送時間の遅延や変更を予測し、予約内容の変更を行なうための制御信号を放送番組記録部１０８へと供給する。
【００１７】
放送番組記録部１０８では、予め設定した記録計画を元に放送番組情報を取得し、放送番組記録媒体１０７へと予約番組を記録する。放送番組記録媒体１０７は、例えば、光ディスクまたはＨＤＤ（磁気ディスク）または磁気テープ等で構成される。放送番組記録部は番組予約制御信号を取得し、記録計画を変更することが可能となっている。予約の制御としては、予約時間の延長や予約の中止等がある。
【００１８】
（２）予約制御方法の例
放送受信装置１０で実施される照合するキー音声データ及び対応する予約制御方法の例としては下記のものがある。、
（２−１）予約番組の終了を示すキー音声データの照合し、そのキー音声データが検出されるまで記録を継続する方法。
【００１９】
例えば、午後９時からのドラマを録画するときに、ドラマが最終回のため３０分延長される場合がある。この場合に、ドラマのエンディングのテーマ音楽が流れるまで、録画時間を延長すると、後半の３０分が切れることなく全て録画できる。
【００２０】
（２−２）予約番組の次の番組の冒頭を示すキー音声データの照合し、そのキー音声データが検出されるまで記録を継続する方法。
【００２１】
例えば、午後９時からのドラマを録画するときに、ドラマが最終回のため３０分延長される場合がある。この場合に、次に放送が予定されているニュースのオープニングのテーマ音楽が流れるまで、録画時間を延長すると、後半の３０分が切れることなく全て録画できる。
【００２２】
（２−３）予約番組中の不定期に行なわれる番組のコーナーを示すキー音声データの照合し、そのキー音声データが番組を通して、検出がされなければ予約番組の記録を削除する方法。
【００２３】
例えば、バラエティー番組において、特別なゲストによるコーナーが一ヶ月に一回ある場合に、そのコーナーのテーマ音楽が流れると録画を残し、流れないと削除するものである。
【００２４】
（２−４）予約番組であるスポーツの結果や盛り上がりが判断可能な歓声や音楽等のキー音声データとの照合を行い、そのキー音声データと一定の類似度がなければ予約番組の記録を終了する方法。
【００２５】
例えば、野球中継でひいきのＡチームがホーム球場で試合を行っている時に、歓声はＡチームが勝っていると大きくなる。そのため、歓声の音圧をキー音声データとして、所定以上の歓声の音圧が検出されない時は、Ａチームが負けている可能性が大きいため、その野球中継の録画を終了する。
【００２６】
（２−５）前番組等の放送状況を確認できるキー音声データ（依然盛り上がる試合の音、エンディング音楽、コマーシャル、番組最後に放送されるニュースや天気予報等のコーナーを示す音）との照合を行い、そのキー音声データの検出結果によって予約番組の記録予約の設定を変更する方法。
【００２７】
例えば、野球中継の次にある午後９時からのドラマを録画するときに、野球中継が延びてドラマの開始が３０分延長される場合がある。この場合に、野球中継のエンディングのテーマ音楽が流れた後から録画を開始すると、ドラマの前半の３０分が切れることなく全て録画できる。
【００２８】
上記各方法の詳細な内容については、後から説明する。
【００２９】
なお、予約の変更が予約時間の変更に関する場合は、予定の前の番組の遅延時間が判断可能な場合や常時同時刻に放送される番組内のコーナー等を遅延時間情報が判断可能な場合は、その遅延時間を利用して記録予定時間を変更する。
【００３０】
（３）予約制御処理の内容
図２は、記録中の番組に対する予約制御処理を示すフローチャートである。
【００３１】
ステップＳ１では番組の記録中であり予約制御が必要であるかを確認する。予約制御が不要な場合、処理を終了する。
【００３２】
予約制御が必要な場合は、ステップＳ２にて、当該番組の音声データを一定区間取得し、さらに、ステップＳ３にてキー音声データを取得する。
【００３３】
ステップＳ４において、予め設定した条件に基づき照合を実行する。
【００３４】
ステップＳ５において、その照合結果が予約計画を制御する条件に合致するかを確認し、合致しなければ、再度ステップＳ１より処理を行なう。予約計画を制御する条件と一致した場合は、ステップＳ６において予約制御を実行し、再度ステップＳ１より処理を開始する。
【００３５】
（４）変更例
なお、同時刻に複数の番組を受信し記録することが可能となる構成にしても良い。
【００３６】
（５）記録計画の例
利用者は、番組表等を参照しながら、録画対象となる放送局、録画を開始する時刻、終了する時刻を放送受信装置１０のリモコンを用いて入力することで、予約番組の記録計画を作成する（図５参照）。予約番組記録装置は、この記録計画に基づき、予約番組の録画放送局、録画開始予定時刻、録画終了時刻を設定し録画を実行する。電子番組表を参照することが可能な予約番組記録装置は、利用者は録画する予約番組を選択し、記録計画に必要な情報は電子番組表の情報から自動的に取得することで記録計画を作成する。
【００３７】
なお、上記記録計画は、録画の優先度や条件が付与された記録計画や同時に複数の放送局の番組を録画する記録計画を利用することが可能である（図６参照）。
【００３８】
また、システムがユーザーの嗜好にあわせて番組を選択して作成された記録計画を利用することが可能である。
【００３９】
（６）予約番組の録画開始時間の延長の処理
（６−１）録画開始時間の延長の処理の流れ
図７は、上記実施形態の放送受信装置１０を利用し、録画中の予約番組の開始の遅延時間を推定し、その遅延時間分だけ録画終了予定時刻を変更する動作を示すフローチャートである。具体的には、午後９時から午後１０時のドラマが、延長された野球中継によって午後９時３０分開始になった場合である。
【００４０】
記録計画に基づき、録画開始予定時刻（午後９時００分）になると録画を開始する。
【００４１】
続いて、録画中の予約番組の音声とキー音声データの照合の確認を開始する。
【００４２】
キー音声データの照合結果を元に、番組開始の遅延しているかを確認する。この方法については、後述する。遅延が確認されなければ、記録計画通り録画を実施し、録画終了予定時刻（午後１０時００分）になれば録画を終了する。
【００４３】
遅延が確認された場合には、遅延推定時間分（３０分）、予約番組の録画終了時刻を延長し、変更した録画終了時刻（午後１０時３０分）になれば、録画を終了する。
【００４４】
（６−３）第１の照合方法
図８は、予約番組に対する音声キー照合を実施し、番組開始遅延時間の推定する第１の方法を示す図である。
【００４５】
図８で示す予約番組は、放送開始時刻から冒頭の会話部分が一定時間進んだ後、ドラマのオープニングのテーマ音楽が流れるものである。
【００４６】
キー音声データは上記テーマ音楽で、流れる予定の時刻を照合予定時刻（例えば、午後９時５分）とする。
【００４７】
番組録画開始時（午後９時００分）からキー音声データの照合を開始し、実際の照合時刻（例えば、午後９時３５分）と照合予定時刻（午後９時５分）との差を確認し、その差である３０分を番組遅延時間として推定する。
【００４８】
（６−４）第２の照合方法
遅延情報の推定には、予約番組を対象としたキー音声データの照合ではなく、予約番組以前の放送内容に対するキー音声データの照合を用いて、放送の遅延時間を推定してもよい。
【００４９】
（７）優先度がある番組予約の処理
図９は、予約番組より以前に放送されている番組から遅延時刻を推定し、録画時刻を変更し、遅延推定時間分は他の番組の録画を行なう動作を示すフローチャートである。
【００５０】
具体的には、同時刻に録画する予約番組の候補が二つあり、優先度に違いがあるとする。その場合には、優先的に録画を行う予約番組（以下、優先録画番組という）以前の放送内容を監視する。優先録画番組の放送開始時刻に遅延がない場合は、予定通り優先録画番組を録画する。遅延があると判断される場合には、優先録画番組の録画開始時刻を遅延推定時間分変更する。その間、非優先的な予約番組（以下、非優先録画番組という）の録画を前記遅延時間推定分録画する。そして、遅延推定時間経過後、非優先録画番組の録画を終了して、遅延して放送される優先録画番組を録画する。
【００５１】
（８）予約番組の録画終了時間の延長の処理
図１０は、キー音声データの照合結果を利用し、録画終了条件の判定を行い録画を終了する動作を示すフローチャートである。
【００５２】
予約番組の録画を開始する共に、キー音声データ照合を行い、照合の結果を元に録画終了条件を満たしているかを判定する。
【００５３】
終了条件を満たしていると判定されるまで、予約番組の録画とキー音声データの照合と番組終了判定を継続する。
【００５４】
終了条件を満たしていると判定されれば、番組の録画を終了する。
【００５５】
録画終了条件としては、番組終了判定を利用することができる。番組終了判定は、予約番組を対象とし、番組終了と判断されるキー音声データ（例えば、エンディングテーマ音楽）との照合があれば、終了と判定する。
【００５６】
（８−１）変更例１
なお、録画終了後、他の番組の録画を行なうように記録計画を変更することにより、効率のよい録画が可能となる。
【００５７】
また、後続の放送内容を対象としたキー音声データの照合を行うことも可能であり、後続番組に関するキー音声データの照合が検出されない場合は、録画を継続し、検出された場合には、録画対象番組が終了していると判断し、録画を終了するという判定をしても良い。
【００５８】
録画終了条件としては、ユーザーが希望する内容が確認されれば、録画終了とする設定をしてもよい。
【００５９】
この設定により、例えば、ニュース番組のスポーツコーナーが終了したら録画を終了するという設定も可能となる。
【００６０】
（８−２）変更例２
一方、ユーザーが希望する内容が含まれないと判断される場合に、録画を終了する設定としても良い。
【００６１】
また、スポーツ中継番組に対し、キー音声データを歓声とし、歓声データが検出されない場合に、試合が中止になっていると判断し録画を終了するという設定にしても良い。
【００６２】
（９）キー音声データ照合結果の視聴時の利用方法
図１１は、録画した予約番組に対するキー音声データ照合結果の視聴時の利用方法を示す図である。
【００６３】
録画した予約番組に対するキー音声データ照合結果は、録画内容とともに保存することにより、録画内容の視聴時に利用が可能となる。
【００６４】
予め予定される放送開始時刻及び放送終了時刻に対し、録画失敗しないように録画設定時刻を設定して録画し、視聴時に、番組の冒頭や終了を推定するためのキー音声データを利用し、ユーザーが必要な範囲だけを視聴することが可能となる。
【００６５】
また、キー音声データが検出されなければ、ユーザーが必要な情報が番組内容に含まれていないと判断し、視聴の中止が可能となる。
【００６６】
（１０）外部メディアへ記録内容を決定する方法
図１２は、予約番組に対するキー音声データ照合結果を利用し、外部メディアへ記録内容を決定する方法を示す図である。
【００６７】
録画した予約番組に対するキー音声データ照合結果は、録画内容とともに保存することにより、外部メディアへの記録時に利用することが可能となる。
【００６８】
ＨＤＤレコーダに代表される一時的に大容量のデータが保存可能な予約番組記録装置において、予め予定される放送開始時刻及び放送終了時刻に対し、録画失敗しないように録画設定時刻を設定して録画し、必要な範囲だけをＤＶＤ等の外部記憶メディアに記録することが可能となる。
【００６９】
また、キー音声データが検出されなければ、ユーザーが必要な情報が番組内容に含まれていないと判断し、録画情報の削除が可能となる。
【００７０】
（第２の実施形態）
本発明の予約番組記録装置を適用した第２の実施形態の放送受信装置２０について図３に基づいて説明する。
【００７１】
図３は、本実施形態の放送受信装置２０を示すブロック図である。
【００７２】
本実施形態と第１の実施形態の異なる点は、音声照合用の放送番組を受信する音声照合用放送受信部２０１と、番組記録用の放送番組を受信する番組記録用放送受信部２０７とが別体である点である。
【００７３】
本実施形態は、例えば、テレビジョン放送を受信し録画するビデオレコーダやＨＤＤレコーダ等の製品として実施される。
【００７４】
図３に示すように、放送受信装置２０は、音声照合用の放送番組を受信する音声照合用放送受信部２０１と、音声信号から音声情報を取得し音声情報記録媒体２０２へと記録する音声情報一時記憶部２０３と、音声キー記録媒体２０４に記録されている音声キー情報と一時保存された音声情報とを照合する音声照合部２０５と、音声照合結果を元に番組予約制御方法を決定する番組予約制御部２０６と、番組記録用の放送番組を受信する番組記録用放送受信部２０７と、放送番組記録媒体２０８に放送番組の記録を行なう放送番組記録部２０９とから構成されている。
【００７５】
音声照合用放送受信部２０１は、照合用番組音声データを分離して取得し、音声情報一時記憶部２０３に供給する。照合用番組音声データは、番組記録用放送番組と、必ずしも同一の番組のものでなくてもよい。
【００７６】
音声情報一時記憶部２０３は、取得した照合用番組音声データを音声情報一時記録媒体２０２に一時的に記録し、音声照合部２０５からの指示に基づき音声照合部２０５へと供給する。音声情報一時記録媒体２０２は、例えばＩＣメモリ等で構成される。
【００７７】
音声照合部２０５は、一定区間の照合用番組音声を音声情報一時記憶部２０３より取得し、また、キー音声データをキー音声データ記録媒体２０４から取得し、照合を行なう。照合は、完全に同一のもののみを検出する方法や音声特徴量が類似している箇所の有無を検出する等、予め決められた所定の条件を元に行なわれ、その照合結果を番組予約制御部２０６へと供給する。
【００７８】
番組予約制御部２０６では、音声照合結果を参照し、予約制御方法を決定し予約制御方法を元に番組予約制御信号を放送番組記録部２０９へと供給する。例えば、記録しているの番組と同時刻放送されている他の番組において不定期に行なわれる内容が始まった際に記録する番組を変更するための番組予約制御信号を供給する。
【００７９】
放送番組記録部２０９では、予め設定した記録計画を元に放送番組情報を取得し、放送番組記録媒体２０８へと記録する。放送番組記録媒体２０８は、例えば、光ディスクまたはＨＤＤ（磁気ディスク）または磁気テープ等で構成される。放送番組記録部２０９は番組予約制御信号を取得し、記録計画を変更することが可能となっている。予約の制御としては、予約時間の延長や予約の中止、記録番組の変更等が可能である。
【００８０】
なお、同時刻に複数の番組を受信し記録することが可能となる構成しても良く、また、照合に用いる番組を複数受信し、その照合結果に基づき番組予約制御を行なうことが可能なものとして構成しても良い。
【００８１】
（第３の実施形態）
本発明の第３の実施形態の放送受信装置４０について図４に基づいて説明する。
【００８２】
図４は、本実施形態の放送受信装置４０を示すブロック図である。
【００８３】
本実施形態は、例えば、複数の機器を管理するホームサーバー等の製品として実施される。
【００８４】
図４に示すように、放送受信装置４０は、音声照合用の放送番組を受信する音声照合用放送受信部４０１と、音声信号から音声情報を取得し音声情報記録媒体４０２へと記録する音声情報一時記憶部４０３と、音声キー記録媒体４０４に記録されている音声キー情報と一時保存された音声情報とを照合する音声照合部４０５と、音声照合結果を元に番組予約制御方法を決定する番組予約制御部４０６とから構成されている。
【００８５】
音声照合用放送受信部４０１は、照合用番組音声データを分離して取得し、音声情報一時記憶部４０３に供給する。
【００８６】
音声情報一時記憶部４０３は、取得した照合用番組音声データを音声情報一時記録媒体４０２に一時的に記録し、音声照合部４０５からの指示に基づき音声照合部４０５へと供給する。音声情報一時記録媒体４０２は、例えばＩＣメモリ等で構成される。
【００８７】
音声照合部４０５は一定区間の照合用番組音声を音声情報一時記憶部４０３より取得し、また、キー音声データをキー音声データ記録媒体４０４から取得し、照合を行なう。照合は、完全に同一のもののみを検出する方法や音声特徴量が類似している箇所の有無を検出する等、予め決められた所定の条件を元に行なわれ、その照合結果を番組予約制御部４０６へと供給する。
【００８８】
番組予約制御部４０６は音声照合結果を参照し、予約制御方法を決定し予約制御方法を元に番組予約制御信号を放送記録装置へと供給する。
【００８９】
放送受信装置４０から放送記録装置への番組予約制御信号は、ＬＡＮ等のネットワークを経由するか、リモートコントローラ信号として送信される構成にしても良い。
【００９０】
また、複数台の放送記録装置へ番組予約制御信号の供給が可能な場合は、各放送記録装置の番組予約計画を確認し最適な機器へと送信するよう制御しても良い。
【００９１】
なお、照合用番組音声データは、同時刻に複数の番組を受信し、照合を行なうことが可能なものとして構成しても良い。
【００９２】
（変更例）
本発明は上記各実施形態に限らず、その主旨を逸脱しない限り種々に変更することができる。
【００９３】
例えば、上記実施形態では、番組を放送信号から受信し録画する装置で説明したが、これに限らず、インターネットによって配信された番組を録画する装置であってもよい。
【００９４】
また、本発明は、テレビ放送に代表される映像音声情報を録画する装置だけでなく、ラジオ放送のように音声のみを録音する録音装置に適用してもよい。
【図面の簡単な説明】
【００９５】
【図１】本発明の第１の実施形態に係る放送受信装置を模式的に示すブロック図である。
【図２】本発明の第１の実施形態に係る記録中の番組に対する予約制御処理を示すフローチャートである。
【図３】本発明の第２の実施形態に係る放送受信装置を模式的に示すブロック図である。
【図４】本発明の第３の実施形態に係る放送受信装置を模式的に示すブロック図である。
【図５】予約番組の記録計画に示す図である。
【図６】複数の放送局を録画するときの予約番組の記録計画に示す図である。
【図７】録画中の予約番組の開始の遅延時間を推定し、その遅延時間分だけ録画終了予定時刻を変更する動作を示すフローチャートである。
【図８】予約番組に対する音声キー照合を実施し、番組開始遅延時間の推定する第１の方法を示す図である。
【図９】予約番組より以前に放送されている番組から遅延時刻を推定し、録画時刻を変更し、遅延推定時間分は他の番組の録画を行なう動作を示すフローチャートである。
【図１０】キー音声データの照合結果を利用し、録画終了条件の判定を行い録画を終了する動作を示すフローチャートである。
【図１１】録画した予約番組に対するキー音声データ照合結果の視聴時の利用方法を示す図である。
【図１２】予約番組に対するキー音声データ照合結果を利用し、外部メディアへ記録内容を決定する方法を示す図である。
【符号の説明】
【００９６】
１０    放送受信装置
１０１    放送番組受信部
１０２    音声情報一時記録媒体
１０３    音声情報一時記憶部
１０４    音声キー記録媒体
１０５    音声照合部
１０６    番組予約制御部
１０７    放送番組記録媒体
１０８    放送番組記録部
【図１】
2006279611.tif 000003
【図２】
2006279611.tif 000004
【図３】
2006279611.tif 000005
【図４】
2006279611.tif 000006
【図５】
2006279611.tif 000007
【図６】
2006279611.tif 000008
【図７】
2006279611.tif 000009
【図８】
2006279611.tif 000010
【図９】
2006279611.tif 000011
【図１０】
2006279611.tif 000012
【図１１】
2006279611.tif 000013
【図１２】
2006279611.tif 000014